(57)【要約】【課題】本体１の電池収容室10を形成する１つの側壁にカード挿入口が開設されている携帯電子機器において、カードと電池との間隙を小さく設定した場合にも、電池３を電池収容室10に収容する際に電池３とカードとが互いに干渉する虞のない携帯電子機器を提供する。【解決手段】本発明に係る携帯電子機器において、本体１の前記１つの側壁に対向すべき電池３の１つの端面には、電池３が本体１の電池収容室10に収容される過程で本体１の前記１つの側壁に摺接すべき凸部32が形成される一方、本体１の前記１つの側壁には、電池３が電池収容室10に収容された状態で凸部32が収容されるべき凹部61が形成され、凸部32が前記１つの側壁に接触した後に凹部61へ向かって摺動する過程で、電池３のカード対向領域は、カード挿入口から離間した軌跡を描いてカード挿入口との対向位置に達する。【選択図】図９
2009290284.tif 000002
【特許請求の範囲】
【請求項１】
携帯可能な本体(１)に電池収容室(10)が形成され、該電池収容室(10)には、電池(３)が脱着可能に収容され、該電池収容室(10)を包囲する４つの側壁(13)(14)(15)(16)の内、１つの側壁(13)にはカード挿入口(７)が開設されている携帯電子機器において、
本体(１)の前記１つの側壁(13)に対向すべき電池(３)の１つの端面(33)には、電池(３)が本体(１)の電池収容室(10)に収容される過程で本体(１)の前記１つの側壁(13)に摺接すべき凸部(32)が形成される一方、本体(１)の前記１つの側壁(13)には、電池(３)が電池収容室(10)に収容された状態で前記凸部(32)が収容されるべき凹部(61)が形成され、前記凸部(32)が前記１つの側壁(13)に接触した後に前記凹部(61)へ向かって摺動する過程で、電池(３)の前記１つの端面(33)の内、本体(１)のカード挿入口(７)と対向すべきカード対向領域(35)は、カード挿入口(７)から離間した軌跡を描いてカード挿入口(７)との対向位置に達し、前記凸部(32)が前記凹部(61)に収容されることによって、カード対向領域(35)がカード挿入口(７)に接近することを特徴とする携帯電子機器。
【請求項２】
本体(１)には、前記１つの側壁(13)と対向する他の１つの側壁(14)に、電池収容室(10)に収容された電池(３)の電極面(31)と接触すべき電極端子(５)が配備され、該電極端子(５)は、電池収容室(10)に向かって突出すると共に突出方向に弾性付勢されている請求項１に記載の携帯電子機器。
【請求項３】
本体(１)の電池収容室(10)に電池(３)が収容されて前記凸部(32)が前記凹部(61)に収容された状態で、該凸部(32)が該凹部(61)内に係止されて、電池(３)の抜け止めが施されている請求項１又は請求項２に記載の携帯電子機器。
【発明の詳細な説明】
【技術分野】
【０００１】
本発明は、携帯電話機などの携帯電子機器に関し、特に本体に形成された電池収容室の１つの側壁に、メモリカード等を挿入するためのカード挿入口が開設されている携帯電子機器に関するものである。
【背景技術】
【０００２】
携帯電話機においては、電源として図１６に示す如き扁平な直方体状の二次電池(９)が使用されており、該電池(９)は、図１７に示す様に本体(８)に形成されている電池収容室に収容される。
電池収容室に電池(９)を収容する際には、先ず電池(９)の後端部を電池収容室に差し込み、図１７の如く該後端部を中心として電池(９)を回動させ、電池(９)の先端部を電池収容室に嵌め込む。
【０００３】
ここで、電池(９)の先端面には、図１８に示す如く爪部(91)が突設される一方、本体(８)には、抜け止め部(81)が形成されており、電池(９)の先端部を押下することによって、爪部(91)が抜け止め部(81)を乗り越え、電池(９)が電池収容室に完全に収容された状態では、爪部(91)が抜け止め部(81)により係止されて、電池(９)の抜け止めが施される。
【０００４】
ところで、近年の携帯電話機においては、メモリカードを本体の内部に装填して、該メモリカードに各種の情報を記録することが行なわれている。一般的には、本体から電池を取り出すことによって露出することとなる電池収容室の底面にカードのハウジングが形成され、該ハウジングにメモリカードを装填した後に電池収容室に電池を収容するようになっている(特許文献１参照)。
【０００５】
一方、図１７及び図１８に示す携帯電話機においては、図１９及び図２０に示す様に、電池収容室に収容された電池(９)の先端面が対向する１つの側壁に、カード挿入口が開設されて、該カード挿入口の奥部にカード(４)が挿入されている。該携帯電話機においては、電池収容室から電池(９)を取り出した状態で、カード挿入口へカード(４)を挿入した後、電池収容室に電池(９)を収容する。
【特許文献１】特開平１１−１５５００４号公報
【発明の開示】
【発明が解決しようとする課題】
【０００６】
しかしながら、図１７及び図１８に示す携帯電話機においては、図１９及び図２０に電池(９)を電池収容室に収容する過程の電池(９)の移動軌跡を示す様に、電池(９)の先端面がカード(４)の端面と僅かな間隙Ｃ(例えば約０.３５ｍｍ)をおいて移動するために、電池(９)の大きさやカード(４)の装填位置のばらつきによって、電池(９)とカード(４)とが互いに干渉する虞があった。
【０００７】
この問題を解消するためには、カード(４)の装填位置を電池(９)から充分に離して、カード(４)と電池(９)との間に大きな隙間(例えば０.８ｍｍ)を確保することが考えられる。ところが、カード(４)と電池(９)との間に大きな隙間を確保した場合、携帯電話機に対して大きな衝撃が加わると、カード(４)が装填位置から飛び出して、カード(４)の電極面と本体(８)の電極端子との接触状態が悪化し、場合によってはカード(４)へのデータの書き込みやカード(４)からのデータの読み出しが出来なくなる問題がある。
【０００８】
そこで本発明の目的は、本体内のカードと電池との間隙を可及的に小さく設定した場合にも、電池を電池収容室に収容する際に電池とカードとが互いに干渉する虞のない携帯電子機器を提供することである。
【課題を解決するための手段】
【０００９】
本発明に係る携帯電子機器は、携帯可能な本体(１)を具え、該本体(１)に電池収容室(10)が形成され、該電池収容室(10)には、電池(３)が脱着可能に収容され、該電池収容室(10)を包囲する４つの側壁(13)(14)(15)(16)の内、１つの側壁(13)にはカード挿入口(７)が開設されている。
ここで、本体(１)の前記１つの側壁(13)に対向すべき電池(３)の１つの端面(33)には、電池(３)が本体(１)の電池収容室(10)に収容される過程で本体(１)の前記１つの側壁(13)に摺接すべき凸部(32)が形成される一方、本体(１)の前記１つの側壁(13)には、電池(３)が電池収容室(10)に収容された状態で前記凸部(32)が収容されるべき凹部(61)が形成され、前記凸部(32)が前記１つの側壁(13)に接触した後に前記凹部(61)へ向かって摺動する過程で、電池(３)の前記１つの端面(33)の内、本体(１)のカード挿入口(７)と対向すべきカード対向領域(35)は、カード挿入口(７)から離間した軌跡を描いてカード挿入口(７)との対向位置に達し、前記凸部(32)が前記凹部(61)に収容されることによって、カード対向領域(35)がカード挿入口(７)に接近する。
【００１０】
上記本発明の携帯電子機器において、本体(１)の電池収容室(10)に電池(３)を収容する場合、先ず、電池(３)の前記１つの端面(33)とは反対側の端面(34)が形成されている後端部を電池収容室(10)に差し込み、該後端部を中心として電池(３)を回動させ、電池(３)の前記１つの端面(33)が形成されている先端部を電池収容室(10)に嵌め込む。
【００１１】
ここで、電池(３)の先端部を電池収容室(10)に向けて押下することにより、電池(３)の前記凸部(32)が本体(１)の前記側壁(13)に接触した後に前記凹部(61)へ向かって摺動する。その過程で、電池(３)は凸部(32)の位置と形状によって移動軌跡が規定され、電池(３)のカード対向領域(35)は、カード挿入口(７)に挿入されているカード(４)の反挿入方向の端部から離間した軌跡を描いてカード(４)の端面との対向位置に達する。従って、電池(３)がカード(４)と干渉する虞はない。
【００１２】
その後、電池(３)の前記凸部(32)が本体(１)の前記凹部(61)に収容されることによって、カード対向領域(35)がカード(４)の端面に接近し、カード(４)と電池(３)との間隙が短縮されることになる。従って、カード(４)に大きな衝撃力が加わってカード(４)が装填位置から飛び出さんとしても、該カード(４)の端面が電池(３)に当接して、カード(４)の飛び出しが阻止される。
【００１３】
具体的構成において、本体(１)には、前記１つの側壁(13)と対向する他の１つの側壁(14)に、電池収容室(10)に収容された電池(３)の電極面(31)と接触すべき電極端子(５)が配備され、該電極端子(５)は、電池収容室(10)に向かって突出すると共に突出方向に弾性付勢されている。
【００１４】
該具体的構成によれば、電池(３)の先端部を電池収容室(10)に向けて押下することにより、電池(３)の前記凸部(32)が本体(１)の前記側壁(13)に接触した後に前記凹部(61)へ向かって摺動する過程で、電池(３)は、電極端子(５)の弾性付勢に抗して、カード(４)から離間する方向に後退することになる。その後、電池(３)の前記凸部(32)が本体(１)の前記凹部(61)に収容される過程で、電池(３)は、電極端子(５)の弾性付勢力を受けて前進し、カード対向領域(35)がカード挿入口(７)に接近することで、カード対向領域(35)がカード(４)の端面に接近する。
【００１５】
他の具体的な構成において、本体(１)の電池収容室(10)に電池(３)が収容されて前記凸部(32)が前記凹部(61)に収容された状態で、該凸部(32)が該凹部(61)内に係止されて、電池(３)の抜け止めが施されている。
これによって、電池(３)は電池収容室(10)に拘持され、電池収容室(10)から容易に脱落する虞はない。
【発明の効果】
【００１６】
本発明に係る携帯電子機器によれば、本体内のカードと電池との間隙を小さく設定した場合にも、電池を電池収容室に収容する際に電池がカードと干渉する虞はなく、カードと電池との間隙を可及的に小さく設定することにより、衝撃が加わったときのカードの飛び出しを防止することが出来る。
【発明を実施するための最良の形態】
【００１７】
以下、本発明を携帯電話機に実施した形態につき、図面に沿って具体的に説明する。
本発明に係る携帯電話機は図１に示す如く、第１筐体(11)と第２筐体(12)とが互いにスライド可能に係合した本体(１)を具え、第１筐体(11)の背面には図２に示す如く電池蓋(２)が脱着可能に取り付けられている。
電池蓋(２)の一方の端縁には、図３に示す如く一対のフック(21)(21)が突設され、該一対のフック(21)(21)を本体(１)に係合させることによって、電池蓋(２)を本体(１)に取り付けることが出来る。
【００１８】
図３及び図４に示す如く、本体(１)には、電池蓋(２)によって開閉される電池収容室(10)が形成されており、該電池収容室(10)に電池(３)が収容される。
電池(３)は、図５に示す如く扁平な直方体状を呈し、一方の端面(33)には凸部(32)とカード対向領域(35)とが形成されている。該凸部(32)は、図１６に示す従来の電池(９)の爪部(91)に対応するものであるが、後述の如く、その位置と形状は従来の電池(９)の爪部(91)とは異なるものとなっている。
又、電池(３)には、前記一方の端面(33)とは反対側の端面(34)に、図４に示す如く電力取出し用の複数の電極面(31)が設けられている。
【００１９】
図６に示す如く、本体(１)には、電池収容室(10)を包囲する４つの側壁(13)(14)(15)(16)の内の１つの側壁(13)に、カード挿入口(７)が開設されており、該カード挿入口(７)へカード(４)を挿入することによって、図７の如くカード(４)を本体(１)内のカードインターフェース(図示省略)に装填することが出来る。
【００２０】
又、本体(１)の前記１つの側壁(13)には、電池(３)の凸部(32)が収容されるべき凹部(61)が形成されており、該側壁(13)において凹部(61)の上方を凹部(61)に沿って伸びる領域が、電池収容室(10)に収容された電池(３)の凸部(32)を係止すべき抜け止め部(６)を形成している。
【００２１】
更に本体(１)には、図３に示す如く、電池収容室(10)を包囲する４つの側壁(13)(14)(15)(16)の内、前記１つの側壁(13)と対向する他の１つの側壁(14)に、前記電池(３)の複数の電極面(31)と接触すべき複数の電極端子(５)が、電池収容室(10)に向けて突設され、該電極端子(５)は、その突出方向にバネ付勢されている。
【００２２】
電池(３)の凸部(32)は、図９に示す如く台形状の断面形状を呈し、平坦領域(32b)とその上下に形成された第１及び第２の傾斜領域(32a)(32c)とを有している。ここで、電池蓋が被さることとなる電池表面側の第２傾斜領域(32c)は、従来の電池(９)の爪部(91)と略同じ位置に形成されているが、凸部(32)の平坦領域(32b)と第１傾斜領域(32a)は、従来の電池(９)には形成されていない新たな突出部分を形成している。
【００２３】
上記本発明の携帯電話機において、本体(１)の電池収容室(10)に電池(３)を収容する場合は、先ず、電池(３)の電極面(31)を電池収容室(10)の電極端子(５)に対向させて、電池(３)の端面(34)が形成されている後端部を電池収容室(10)に差し込んだ後、該電池(３)の先端部を電池収容室(10)へ向けて押下することにより、前記後端部を中心として図８及び図１２の如く電池(３)を回動させ、これによって、電池(３)の端面(33)が形成されている先端部を電池収容室(10)に嵌め込む。
【００２４】
図８は、電池(３)の凸部(32)が形成されている位置での断面における電池(３)の移動軌跡を表わし、図１２は、本体(１)にカード(４)が挿入されている位置での断面における電池(３)の移動軌跡を表わしている。
又、図９〜図１１は、図８のＡ部における電池(３)の移動軌跡を時系列的に表わし、図１３〜図１５は、図１２のＢ部における電池(３)の移動軌跡を時系列的に表わしている。
【００２５】
電池(３)の端面(34)が形成されている後端部を電池収容室(10)に差し込んで、該電池(３)の先端部を電池収容室(10)へ向けて押下すると、図９(ａ)に示す如く、先ず電池(３)の凸部(32)の第１傾斜領域(32a)が本体(１)の抜け止め部(６)に接触し、第１傾斜領域(32a)が本体(１)の抜け止め部(６)上を摺動する。
この時点で、図１３(ａ)の如く、電池(３)のカード対向領域(35)は、カード(４)の端部よりも上方に位置し、カード対向領域(35)とカード(４)の端部との間隙部Ｃには、充分な間隙(例えば０.８ｍｍ)が確保されている。
【００２６】
更に電池(３)の先端部を押下すると、図９(ｂ)に示す如く、抜け止め部(６)が電池(３)の凸部(32)の第１傾斜領域(32a)から平坦領域(32b)に乗り上げ、この凸部(32)の摺動に伴って、電池(３)は後端部側へ後退する。これに伴って、前記電極端子(５)はバネ付勢に抗して圧縮され、該電極端子(５)の弾性反発力によって電池(３)が先端部側へ付勢されることになる。
この時点で、図１３(ｂ)の如く、電池(３)のカード対向領域(35)は、カード(４)の対向位置に向かって下降すると同時に後退し、カード対向領域(35)とカード(４)の端部との間隙部Ｃには、充分な間隙(例えば０.８ｍｍ)が維持される。
【００２７】
更に電池(３)の先端部を押下すると、図１０(ａ)に示す如く、抜け止め部(６)が電池(３)の平坦領域(32b)上を相対的に摺動し、電池(３)の先端部が電池収容室(10)の底面に接近することになる。
この時点で、図１４(ａ)の如く、電池(３)のカード対向領域(35)は、カード(４)の対向位置にさしかかるが、カード対向領域(35)とカード(４)の端部との間隙部Ｃには、依然として充分な間隙(例えば０.８ｍｍ)が維持されている。
【００２８】
更に電池(３)の先端部を押下すると、図１０(ｂ)に示す如く、抜け止め部(６)が電池(３)の平坦領域(32b)の終端位置まで相対的に摺動し、平坦領域(32b)の僅かな傾斜によって、電池(３)は前記電極端子(５)の弾性反発力を受けて先端部側へ僅かに移動すると共に、電池収容室(10)の底面に更に接近することになる。
この時点で、図１４(ｂ)の如く、電池(３)のカード対向領域(35)は、カード(４)の端面との対向位置に達し、カード対向領域(35)とカード(４)の端面との間隙は、僅かに狭まる。
【００２９】
そして、電池(３)の先端部を電池収容室(10)の底部まで押下すると、図１１に示す如く、抜け止め部(６)が電池(３)の第２傾斜領域(32c)上へ移行し、これに伴って電池(３)は、前記電極端子(５)の弾性反発力を受けて先端部側へ更に前進し、凸部(32)が凹部(61)に収容されることになる。この状態で、電池(３)の凸部(32)が抜け止め部(６)によって凹部(61)内に拘持され、電池(３)に抜け止めが施される。
この時点で、図１５の如く、電池(３)のカード対向領域(35)は、カード(４)の端面との対向位置にて、カード(４)の端面へ更に接近し、カード対向領域(35)とカード(４)の端面との間隙Ｇは、僅かな値(例えば０.３５ｍｍ)まで短縮されることになる。
【００３０】
上述の如く、電池(３)の先端部を電池収容室(10)に向けて押下し、本体(１)の電池収容室(10)に電池(３)を収容する過程で、電池(３)の凸部(32)が本体(１)の側壁(13)に接触した後に凹部(61)へ向かって摺動することにより、電池(３)は凸部(32)の位置と形状によって移動軌跡が規定され、電池(３)のカード対向領域(35)は、カード挿入口(７)に挿入されているカード(４)の反挿入方向の端部から離間した軌跡を描いてカード(４)の端面との対向位置に達する。この過程で、カード対向領域(35)とカード(４)の端面との間隙部Ｃには充分な間隙(例えば０.８ｍｍ)が維持されるので、電池(３)がカード(４)と干渉する虞はない。
【００３１】
その後、電池(３)の凸部(32)が本体(１)の凹部(61)に収容されることによって、カード対向領域(35)がカード(４)の端面に接近し、カード(４)と電池(３)との間隙Ｇが僅かな値(例えば０.３５ｍｍ)まで短縮されることになるので、この状態でカード(４)に大きな衝撃力が加わってカード(４)が装填位置から飛び出さんとしても、該カード(４)の端面が電池(３)に当接して、カード(４)の飛び出しが阻止される。
【００３２】
上記本発明の携帯電話機によれば、電池(３)の凸部(32)の位置や形状を変更することによって、本体(１)に電池(３)を収容する際の電池(３)の移動軌跡を調整することが出来るので、電池(３)のカード(４)との干渉を防止しつつ、衝撃が加わったときのカード(４)の飛び出しを阻止することが出来る。
【００３３】
尚、本発明の各部構成は上記実施の形態に限らず、特許請求の範囲に記載の技術的範囲内で種々の変形が可能である。例えば、電池(３)の先端部を電池収容室(10)の底部まで押下して、電池(３)のカード対向領域(35)がカード(４)の端面との対向位置に達したとき、カード対向領域(35)がカード(４)の端面に当接するように構成してもよい。
また、本発明は携帯電話機に限らず、電池収容室の１つの側壁にカード挿入口が開設されている各種の携帯電子機器に実施することが出来る。又、カード(４)はメモリカードに限らず、例えばＳＩＭカードであってもよい。
【図面の簡単な説明】
【００３４】
【図１】本発明に係る携帯電話機を表面側から見た斜視図である。
【図２】該携帯電話機を裏面側から見た斜視図である。
【図３】該携帯電話機から電池を外した状態を、一方向から見た斜視図である。
【図４】該携帯電話機から電池を外した状態を、他方向から見た斜視図である。
【図５】電池の拡大斜視図である。
【図６】本体にカードを挿入する様子を示す斜視図である。
【図７】本体にカードが装填された状態を示す斜視図である。
【図８】電池の凸部が形成されている位置での電池の移動軌跡を表わす断面図である。
【図９】図８のＡ部における電池の移動軌跡の第１段階を表わす断面図である。
【図１０】同上の移動軌跡の第２段階を表わす断面図である。
【図１１】同上の移動軌跡の最終段階を表わす断面図である。
【図１２】本体にカードが挿入されている位置での電池の移動軌跡を表わす断面図である。
【図１３】図１２のＢ部における電池の移動軌跡の第１段階を表わす断面図である。
【図１４】同上の移動軌跡の第２段階を表わす断面図である。
【図１５】同上の移動軌跡の最終段階を表わす断面図である。
【図１６】従来の電池の拡大斜視図である。
【図１７】従来の携帯電話機において電池の爪部が形成されている位置での電池の移動軌跡を表わす断面図である。
【図１８】図１７のＡ部における電池の移動軌跡を表わす断面図である。
【図１９】従来の携帯電話機において本体にカードが挿入されている位置での電池の移動軌跡を表わす断面図である。
【図２０】図１９のＢ部における電池の移動軌跡を表わす断面図である。
【符号の説明】
【００３５】
(１)  本体
(10)  電池収容室
(13)  側壁
(14)  側壁
(15)  側壁
(16)  側壁
(２)  電池蓋
(３)  電池
(31)  電極面
(32)  凸部
(33)  端面
(34)  端面
(35)  カード対向領域
(４)  カード
(５)  電極端子
(６)  抜け止め部
(61)  凹部
(７)  カード挿入口
【図１】
2009290284.tif 000003
【図２】
2009290284.tif 000004
【図３】
2009290284.tif 000005
【図４】
2009290284.tif 000006
【図５】
2009290284.tif 000007
【図６】
2009290284.tif 000008
【図７】
2009290284.tif 000009
【図８】
2009290284.tif 000010
【図９】
2009290284.tif 000011
【図１０】
2009290284.tif 000012
【図１１】
2009290284.tif 000013
【図１２】
2009290284.tif 000014
【図１３】
2009290284.tif 000015
【図１４】
2009290284.tif 000016
【図１５】
2009290284.tif 000017
【図１６】
2009290284.tif 000018
【図１７】
2009290284.tif 000019
【図１８】
2009290284.tif 000020
【図１９】
2009290284.tif 000021
【図２０】
2009290284.tif 000022